(57)【特許請求の範囲】
【請求項１】
筒状に形成されており、側面上部にポケット収容部を備えたバッグ本体と、
前記ポケット収容部に一端部の少なくとも一部が固定された状態で収容されており、使用時に引き出されて、他端部の上部に設けられた固定手段がバッグ本体に固定されるポケット部と、
前記バッグ本体の前面上部に取り付けられている取っ手と、
を備えており、
前記バッグ本体の外側に、前記ポケット収容部の開口部が、上下に延設されており、    
前記ポケット部が、略四角形であって、前記ポケット収容部の前記開口部の近傍に前記一端部の少なくとも一部が固定されており、前記固定部を支点にしてポケット収容部から出し入れが行われて、前記ポケット収容部に横方向に収容され、
前記ポケット収容部の開口部の長さが、前記ポケット部の側辺よりも長く、
前記ポケット収容部から取り出された前記ポケット部が、前記取っ手の外側を覆うように配置された状態で、前記バッグ本体に固定されることを特徴とするキャディバッグ。
【請求項２】
前記ポケット部の一端部が、前記ポケット収容部内部の前記バッグ本体側の前記開口部の近傍に縫いつけられて固定されていることを特徴とする請求項１に記載のキャディバッグ。
【請求項３】
前記ポケット部の少なくとも一部が、内部を視認可能なメッシュ素材で形成されていることを特徴とする請求項１又は２に記載のキャディバッグ。
【請求項４】
前記ポケット部が、前記バッグ本体に接する裏面部と、当該裏面部に対向する表面部を備えており、
且つ前記ポケット部の開口部が、前記表面部の中央若しくは中央よりも上部に形成されていることを特徴とする請求項１から３のいずれかに記載のキャディバッグ。
【請求項５】
前記ポケット収容部の前記開口部の両側の縁部が、伸縮性に富んだ素材によって形成されており、
前記両側の縁部によって、前記開口部が通常閉じられていることを特徴とする請求項１から４のいずれかに記載のキャディバッグ。
【発明の詳細な説明】
【技術分野】
【０００１】
本発明は、ゴルフクラブを収容するキャディバッグに関する。特に、ボール等の小物類を収納するポケットを本体上部に備えたキャディバッグに関する。
【背景技術】
【０００２】
一般に、キャディバッグには、ゴルフクラブを収容するバッグ本体の周りに、ボールや手袋や財布などの小物を収納するための収納部が設けられている。例えば、バッグ本体の前面下部に比較的大きな収納部が設けられ、バッグ本体背面や両側面に厚みの薄い収納部が設けられたキャディバッグが、広く流通している。
【０００３】
収納部を有する複数のキャディバッグがゴルフカート１０１に積み込まれている状態を、図９に模式的に示す。キャディバッグはゴルフカート１０１の荷台に隙間なく並べられて、本体前面が斜め上を向いた状態で搭載されている。キャディバッグを荷台に固定するには、ゴルフカート１０１に設けられているバンドが、キャディバッグの中央部を横断するように架け渡される。
【０００４】
ゴルフカート１０１の荷台の中央部に搭載されて両側を他のキャディバッグに挟まれたキャディバッグは、バッグ本体背面及び側面に設けられた収納部から小物を取り出すことが非常に困難になる。又、このようなキャディバッグのバッグ本体の前面下部に設けられた収納部は、ゴルファーの手元よりも低い所に位置するため、この収納部からゴルフボール等の必要な小物類を出し入れする際は腰を屈めてしかもほとんど手探りの姿勢を取る必要があり、必要な小物の取り出しや収納に手間がかかることが指摘されていた。
【０００５】
これらの問題を解消するために、特許文献１のゴルフ用小物ポーチが考案されている。この小物ポーチはホックを備えており、キャディバッグやゴルファーのベルトに着脱が可能である。このようなポーチをキャディバッグに取り付けておくことにより、プレー中の小物の出し入れを必要に応じて容易に行うことができる。同様に、着脱可能なゴルフ用小物入れが、特許文献２に開示されている。しかしながら、このように着脱可能な小物入れは万一の紛失の恐れがあり、一層の対策が求められていた。
【０００６】
特許文献３及び特許文献４には、キャディバッグ本体の前面上部に固定された小物入れを設けて、ゴルフカートに搭載した場合でも小物の出し入れを行い易くする技術が開示されている。しかしながら、近年ではバッグ本体の前面上部に取っ手を設けていることが多いため、キャディバッグの運搬時等には、この取っ手と小物入れが干渉して、キャディバッグの運搬が行いにくくなる恐れがあった。
【特許文献１】実用新案登録第３０６１１３２号公報
【特許文献２】特開２００３−１０３６９号公報
【特許文献３】実開昭５１−１８６６２号公報
【特許文献４】特開２００７−１３５６１８号公報
【発明の開示】
【発明が解決しようとする課題】
【０００７】
本発明は、上記問題点に鑑みてなされたものであって、ゴルフカートに搭載した場合であっても、ボール等の小物の出し入れを行い易いキャディバッグを提供することを課題としてなされたものである。
【課題を解決するための手段】
【０００８】
請求項１の発明は、キャディバッグに関する。本発明のキャディバッグは、筒状に形成されており、側面上部にポケット収容部を備えたバッグ本体と、ポケット収容部に一端部の少なくとも一部が固定された状態で収容されており、使用時に引き出されて、他端部の上部に設けられた固定手段がバッグ本体に固定されるポケット部と、前記バッグ本体の前面上部に取り付けられている取っ手と、を備えている。本発明のキャディバッグは、バッグ本体の外側に、ポケット収容部の開口部が上下方向に延設されている。また、ポケット収容部の開口部の近傍に一端部の少なくとも一部が固定されており、固定部を支点にしてポケット収容部から出し入れが行われる。ポケット部は略四角形であって、且つポケット部はポケット収容部に横方向に収容される。これに加えて、ポケット収容部の開口部の長さは、ポケット部の側辺よりも長く形成されている。
【０００９】
本発明のキャディバッグのポケット部は、使用時以外はポケット収容部に収容されているために、運搬中や保管時に引っ掛かったり邪魔になったりする恐れがない。又、このポケット部は、少なくとも一部が本体に固定されているために、ポケット部自体が紛失する恐れがない。更に、使用時には引き出されて他端部がバッグ本体に固定されることにより、ゴルフカートに搭載された状態であっても、小物類の出し入れを非常に行い易く構成されている。本発明のポケット収容部の開口部は、バッグ本体の外側に、上下方向に延設されているために、ゴルフカート上で複数のキャディバッグに挟まれるように搭載されている場合であっても、小物類の出し入れが可能である。
【００１０】
請求項１の発明に係るキャディバッグは、ポケット収容部から取り出されたポケット部が、取っ手の外側を覆うように配置された状態で、バッグ本体に固定されることを特徴とする。
【００１１】
本発明のキャディバッグのポケット部は、前面上部の取っ手を覆うように配置されることで、ポケット部がキャディバッグの最も外側に位置することとなる。この結果、キャディバッグがゴルフカートに搭載された状態であっても、中に収容されている小物類を非常に容易に取り出すことが可能となる。
【００１２】
請求項２の発明に係るキャディバッグは、ポケット部の一端部が、ポケット収容部内部のバッグ本体側の開口部の近傍に縫いつけられて固定されていることを特徴とする。
【００１３】
ポケット部が強度の高いバッグ本体側に縫いつけられることで、ポケット部は強固にキャディバッグに固定される。又、開口部の近傍に一端部が縫いつけられているポケット部は、この固定部を支点にしてポケット収容部から出し入れすることができる。この結果、少ない移動量でポケット部をスムーズ且つ容易にポケット収納部から出し入れすることができる。
【００１４】
（削除）
【００１５】
（削除）
【００１６】
請求項３の発明に係るキャディバッグは、ポケット部の少なくとも一部が、内部を視認可能なメッシュ素材で形成されていることを特徴とする。  
【００１７】
メッシュ素材を用いることにより、内容物の確認ができて、目的とする小物類を素早く取り出すことができる。又、濡れているボール等を収納した場合にも、これらを迅速に乾かすことができる。更に、通常の布等でポケット部を形成した場合と比較すると、砂等の汚れが貯まることがなく、又カビ等が発生しにくく清潔な状態が保たれる。
【００１８】
請求項４の発明に係るキャディバッグは、ポケット部がバッグ本体に接する裏面部と、当該裏面部に対向する表面部を備えており、開口部が前記表面部の中央若しくは中央よりも上部に形成されていることを特徴とする。
【００１９】
本発明のキャディバッグのポケット部は、キャディバッグの本体前面が斜め上を向いた状態でゴルフカートに搭載されている場合に、特に好適に使用される。ゴルフカートにキャディバッグが搭載された状態でポケット部を使用する場合には、本発明の表面側に設けられた開口部は、その開閉が非常に行いやすいという利点がある。又、キャディバッグがゴルフカートに斜めに搭載されている場合、本発明のポケット部は、表面側を上にし、裏面側を下にした状態でキャディバッグの本体部の上に位置することになり、たとえ開口部が表面部の中央に形成されていた場合であっても、その内容物が落下する恐れがない。
【００２０】
請求項５の発明に係るキャディバッグは、ポケット収容部の開口部が、バッグ本体の側面に沿うように上下方向に延設されている。この開口部の両側の縁部は、伸縮性に富んだ素材によって形成されており、この両側の縁部によって、開口部が通常閉じられていることを特徴とする。  
【００２１】
本発明のポケット収容部の開口部の両側の縁部は、閉じ蓋（フラップ）として機能することができ、縁部によって、ポケット収容部へのゴミや埃の進入が防止されると同時に、ポケット収容部の内部は縁部によって中が見えないようになっており、すっきりと整った外観が保たれている。更に、ポケット収容部の縁部が伸縮性のある素材で形成されているために、ポケット部の中にゴルフボール等の多くの小物が入った状態のままであっても、ポケット部を出し入れすることが可能である。
【発明の効果】
【００２２】
本発明により、たとえゴルフカート上で複数のキャディバッグに挟まれるように搭載された場合であっても、ゴルファーが腰を屈める必要がなく、立ったままの楽な姿勢から、収容物を視認できる状態で小物類の出し入れを容易に行うことのできるポケット部が設けられたキャディバッグが提供される。
【００２３】
本発明により、ゴルフカート上で降雨を避けるためのカバーを掛けられた場合であっても、ゴルファーが腰を屈める必要がなく、立ったままの楽な姿勢から、収容物を視認できる状態で小物類の出し入れを容易に行うことのできるポケット部が設けられたキャディバッグが提供される。
【００２４】
本発明により、使用しない場合には運搬や保管等の際に引っかかったり邪魔にならないように収容することができ、且つ使用時には迅速に取り出して使用しやすい状態で本体部に容易に取り付けることができるポケット部を備えたキャディバッグが提供される。
【００２５】
本発明により、内部にゴルフボール等の小物類を収納したままの状態でポケット収容部に収容したり、取り出したりすることが容易にできるポケット部を備えたキャディバッグが提供される。
【００２６】
本発明により、濡れた小物類を収納した場合であっても、これらをすぐに乾燥することができ、全体としてカビ等の発生が減じられたポケット部を備えたキャディバッグが提供される。
【発明を実施するための最良の形態】
【００２７】
以下に発明を実施するための最良の形態を列記する。ここで記載された形態は例示であり、特許請求の範囲に記載の技術には、以下の形態を様々に変形、変更したものが含まれる。
【００２８】
キャディバッグのポケット部は、柔軟な素材で構成される。その素材には、一般にナイロン（登録商標）と称されるポリアミド生地、ポリエステル生地、ＰＵ（ポリウレタン）生地、ＰＶＣ（塩化ビニル樹脂）生地、ＥＶＡ（エチレン-酢酸ビニル共重合樹脂）生地等が使用される。これらの生地はいずれも、軽量で、耐久性と防水性に富んでおり、しかも充分な柔軟性があってポケット収容部からの出し入れを行いやすいという特徴があり、ポケット部に適した素材である。
【００２９】
ポケット部は略四角形であって、その一方の側辺が、ポケット収容部内部のバッグ本体側の開口部の縁部に縫いつけられている。ポケット部の他方の先端側の側辺上端部には、固定手段が設けられている。バッグ本体側の開口部の縁部にポケット部の一方の側辺が縫いつけられていることにより、少ない移動量で効率よくポケット部の出し入れを行うことができる。又同時に、固定された部分の耐久性が充分に確保されている。
【００３０】
ポケット部に設けられる固定手段として最も好適なものは、ナスカン、カラビナ、スナップフック等の連結具である。これらの連結部は、バッグ本体の口枠下部に取り付けられている環状部に連結される。これらの連結具は、着脱が非常に容易である一方で、一旦固定すると取り外しの操作をしない限り非常に外れにくいという特徴がある。
【００３１】
ポケット部の上端部がバッグ本体の口枠下部に固定されることにより、ポケット部は口枠とほぼ平行な状態で固定される。又、開口部がほぼ拡がった状態で固定されることになり、ボール等の小物類の出し入れが非常に行いやすくなる。  
【００３２】
ポケット部の開口部には、スライドファスナー、スナップボタン、マグネットのうちのいずれか１つが取り付けられており、開閉操作を行うことができる。これらの開閉手段は、開閉が容易であり、且つ、プレー中だけでなくポケット収容部に収容した際にも誤って開口して中の小物類がこぼれ落ちる恐れがないという特徴がある。
【００３３】
ポケット収容部の内部と、バッグ本体側面に設けられた収納部の内部は一体化しており、一つの同じ空間を形成している。
【００３４】
ポケット収容部の開口部の両側の縁部は、ネオプレン（登録商標）と称される柔軟で伸縮性に富んだクロロプレンゴムで形成されている。ポケット収容部の開口部の縁部が柔軟性に富んでいるために、ポケット部が多くの小物類を収納して膨らんだ状態であっても、そのまま開口部を通過させて出し入れすることができる。
【００３５】
ポケット部の一方の側辺は、バッグ本体にポケット収容部の開口を設ける為、縁部を形成する素材を縫いつける際に、同時に縫いつけられている。
【００３６】
参考例として、ポケット部の一方の側辺の下端部を、ポケット収容部の中に固定されている自動巻取手段のテープと連結することができる。自動巻取手段は、駆動バネにより付勢される巻取ドラムを備えており、ポケット部に連結されているテープは、通常はこの巻取ドラムに巻き付けられている。ポケット部をポケット収容部から取り出す時には、巻取ドラムに巻かれているテープが引き出され、その際に駆動バネが蓄勢される。ポケット部の固定具がバッグ本体に固定されている時は、巻取ドラムに巻取ドラムの駆動バネにストッパーが掛けられている。ポケット部をポケット収容部に収容するときには、ストッパーが外されて、巻取ドラムの駆動バネはその蓄勢力によって引き出したテープを自動的に巻き取る。テープが巻き取られることによって、ポケット部がポケット収容部に自動的に引き込まれる。
【実施例】
【００３７】
（第１実施例）以下、本発明の第１実施例を、図面を参照しつつ詳細に説明する。図１は本実施例のキャディバッグ１の正面図である。キャディバッグ１は、バッグ本体２と、図示されないフードとから構成されている。バッグ本体２の正面に、取っ手４が取り付けられている。バッグ本体２は、硬質の樹脂で形成された筒状の枠体に、ポリアミド樹脂、ポリエステル等の柔軟な合成繊維、又はＰＵ、ＰＶＣ等の柔軟な合成皮革が、表皮として張り合わされている。
【００３８】
バッグ本体２の前面下部には、バッグ本体部２の表皮と同じ材質の合成皮革を縫いつけることによって、前面に突出した収納部６が設けられている。バッグ本体２の両側面に、同様の材質の合成皮革を適用した厚みの少ない収納部が設けられている。以後の記載に於いては、バッグ本体２の向かって左側面に設けられている収納部を収納部８とし、向かって右側面に設けられている収納部を収納部１０とする。バッグ本体２の表皮は、収納部６，８，１０が重ね合わされる部分については、ＰＶＣ合成皮革の代わりに、より薄い柔らかな布地が用いられており、軽量化とコストダウンが図られている。
【００３９】
バッグ本体２の外側の、収納部８に設けられているスライドファスナー９とほぼ平行する位置に、ポケット収容部１１の開口部１２が、上下に延設されている。ポケット収容部１１の内部と、収納部８の内部は一体化しており、一つの同じ空間を共有している。開口部１２の両側の縁部１４は、柔軟で伸縮性に富んだクロロプレンゴムで形成されている。両側の縁部１４によって、開口部１２は通常閉じられており、縁部１４が閉じ蓋として機能している。
【００４０】
ポケット部２１は、使用されない場合にはポケット収容部１１の内部に収容されており、使用される都度、ポケット収容部１１から引き出されて、取っ手４の外側を覆うように広げられて配置された状態で、バッグ本体２に固定される。ポケット部２１がポケット収容部１１に収容されているとき、ポケット収容部１１の内部は縁部１４によって中が見えないようになっており、すっきりと整った外観が保たれている。
【００４１】
ポケット部２１が、ポケット収容部１１から引き出されて固定された状態のキャディバッグ１の正面図を図２に示す。ポケット部２１は上辺２２，下辺２３，及び２つの側辺を有する略四角形に形成されており、バッグ本体２に接する裏面部と、裏面部に対向する表面部２７を備えている。ポケット部２１の一方の側辺の端部は、バッグ本体２の表皮と、ポケット収容部１１の縁部１４の布との間に挟み込まれた状態で、ポケット収容部１１の内部のバッグ本体２側に固定されている。バッグ本体２の表皮と縁部１４とを縫い合わせるとき、この側辺の端部を同一の工程によって同時にバッグ本体２に縫い付けることで、ポケット部２１はバッグ本体２側に強固に固定されている。
【００４２】
ポケット部２１の表面部２７と裏面部は、ポリアミド樹脂、ポリエステル、ＰＵ、ＰＶＣ、ＥＶＡ等から成る柔軟なメッシュ素材で形成されている。表面部２７の上辺２２の下に、スライドファスナーが縫いつけられて、開口部２８を形成している。ポケット部２１の先端側の側辺２５の上端部には、ナスカン２９が連結されて固定されている。
【００４３】
ポケット収容部１１から取り出されたポケット部２１は、取っ手４の外側を覆うように配置される。そして、ナスカン２９が、バッグ本体２の口枠１６の下部に固定されている環状部１８に連結される。ポケット部２１は、バッグ本体２側に縫いつけられている側辺部に加えて、先端側の側辺２５の上端部のナスカン２９がバッグ本体２に連結されることにより、バッグ本体２に着脱可能に連結固定される。  
【００４４】
ポケット部２１に複数のゴルフボール３１を収容した状態を模式的に示す部分拡大図を図３に示す。ポケット部２１が柔軟なメッシュ素材で形成されているために、ポケット部２１は取っ手４の外側の形状に沿うように、且つゴルフボール３１の外形形状に合うように変形した状態で、キャディバッグ１の最も外側に位置している。このとき、ポケット部２１の先端側の側辺２５の下端部は、バッグ本体２に固定されておらず、変形や移動が可能であるため、より多くのゴルフボール３１を収納しようとした場合でも、ポケット部２１全体が膨らんだ状態となってそれらのボール３１を収めることができる。又、ポケット部２１の両側辺がバッグ本体に固定されることで、ポケット部２１の開口部２８は、口枠１６とほぼ平行に拡がった状態で配置されることになり、ゴルフボール３１の出し入れが非常に容易である。
【００４５】
ポケット部２１は、表面部２７と裏面部が枠部を除いてメッシュ素材で形成されているために、中に収納した小物類を外側から見て容易に識別することができ、必要なものだけを取り出すことができる。更に、濡れているボール等を収納した場合であっても、これらを迅速に乾かすことができ、同時に、ポケット部２１自体も迅速に乾燥するため、カビ等が発生しにくく清潔な状態が保たれる。
【００４６】
図４に、両側を他のキャディバッグに挟まれてゴルフカートに積み込まれたキャディバッグ１の状態を模式的に示す。キャディバッグ１は、本体部２の前面が斜め上を向いた状態で、他の３個のキャディバッグ３３と共に、ゴルフカートの荷台に隙間なく並べられる。図４から明らかなように、キャディバッグ１の本体背面に設けられた収納部から小物を出し入れことは困難である。又、収納部６は、ゴルファーの手元よりも一層低い所に位置するため、ゴルフボール等の必要な小物類を出し入れする際には腰を屈めて尚かつほとんど手探りの状態で必要な小物を探す必要があり、ゴルフボール等の必要な小物の取り出しや収納に手間がかかる。
【００４７】
これに対して、図４のキャディバッグ１のポケット部２１は、バックの前面上部の取っ手４よりも外側に位置することになるため、キャディバッグ１の本体部２の口枠１６側又は側方から手を伸ばすことにより、腰を屈めることなくしかもその内部を視認できる状態で、容易に収容した小物類を取り出すことができる。又、降雨時にキャディバッグ１，３３全体にカバーを取り付けた場合には、収納部６から小物類を取り出すことが一層困難となるが、ポケット部２１は僅かにカバーをずらすだけで、必要なものを取り出すことができる。
【００４８】
本実施例のポケット部２１は、キャディバッグ１がゴルフカートに搭載された状態の時に引き出されて使用されるため、その表面部２７が斜め上を向いた状態となる。このため、開口部２８が開いた状態で、中にゴルフボール３１を収容したまま移動を続けた場合であっても、ゴルフボール３１が落下する恐れがない。
【００４９】
プレーが終了して、ポケット部２１とその中の小物類を用いなくなったときには、ナスカン２９を環状部１８から外して、小物類を収容した状態のまま、ポケット収容部１１に収容することができる。ポケット収容部１１の縁部１４が伸縮性のある素材で形成されているために、中にゴルフボール３１等が入った状態のまま、ポケット部２１は開口部１２を通過して収容される。ポケット部２１を収容すると、キャディバッグ１は、図１に示したように取っ手４が現れた状態となって、運搬を容易に行うことが可能となる。
【００５０】
本実施例におけるキャディバッグ１は、前面上部に、メッシュ素材で形成されたポケット部２１が設けられている。ポケット部２１は、ゴルフカートにキャディバッグ１が搭載された時には、ポケット収容部１１から取り出して取っ手４の上に配置することができ、多くのゴルフボール３１などを出し入れしやすく収容することが可能である。ポケット部２１の側辺部はポケット収容部１１の内側に強固に固定されており、使用しない時はポケット収容部１１に容易に収容することができる。
【００５１】
（第２実施例）  本実施例のキャディバッグ４１のポケット部４２の構成を、図５に示す。ポケット部４２には、メッシュ素材で形成された表面部４４の上部を覆う蓋部４６を備えている。本実施例のキャディバッグ４１の構成のうち、第１実施例と同一のものについては、同一符号を付与して、重複説明を割愛する。
【００５２】
蓋部４６の中央には、マグネットボタン４８の雌部が取り付けられており、表面部４４に取り付けられているマグネットボタン４８の雄部と係合することで、蓋部４６が閉じられる。
【００５３】
本実施例のポケット部４２にはマグネットボタン４８によって開閉を片手で行うことが可能であり、開閉動作をより簡易に行うことが可能である。尚、本実施例における蓋部４６の開閉手段として、マグネットボタン４８の代わりに面ファスナーを用いることが可能である。
【００５４】
（第３実施例）  本実施例のキャディバッグ５１のポケット部５２の構成を、図６に示す。本実施例のキャディバッグ５１の構成のうち、第１実施例と同一のものについては、同一符号を付与して、重複説明を割愛する。キャディバッグ５１のポケット部５２には表面部５３と裏面部との間にマチ５４が形成されており、より多くの小物類を収納することができる。ポケット部５２の上辺端部には鳩目５６が設けられており、カラビナ５７が連結されている。カラビナ５７がバッグ本体部５８に設けられている環状部１８に連結されて、ポケット部５２の上辺端部が環状部１８に着脱可能に固定される。
【００５５】
ポケット収容部５９の底部には、図示されない自動巻取手段が固定されている。自動巻取手段は、駆動バネにより付勢される巻取ドラムと、巻取ドラムのストッパーと、巻取ドラムに通常巻取られているテープを備えている。ポケット部５２の一方の側辺の下部が、自動巻取手段のテープに連結されている。ポケット部５２をポケット収容部５９から取り出す際には、巻取ドラムに巻かれているテープが同時に引き出され、その際に駆動バネが蓄勢される。ポケット部５２がカラビナ５７を介してバッグ本体部５８に連結固定されている時は、巻取ドラムの駆動バネにストッパーが掛けられている。ポケット部５２がポケット収容部５９に収容されるときは、ストッパーが外されて、巻取ドラムの駆動バネはその蓄勢力によって引き出したテープを自動的に巻き取ることができる。テープが巻き取られることによって、ポケット部５２が迅速且つスムーズにポケット収納部５９に収容される。
【００５６】
（第４実施例）  本実施例のキャディバッグ６１のポケット部６２の構成を、図７に示す。ポケット部６２の先端側の側辺６４には、鏡６６が取り付けられている。本実施例のポケット部６２には、鏡６６の他に、ティホルダーを設けたり、ボール拭きを収納できる小物入れを設けることができる。ポケット収容部１１の内部と、収納部８の内部は一体化しており、一つの同じ空間を共有しているので、より大型のポケット部６２を収容することが可能である。但し、ゴルフカートに搭載する場合に隣合うキャディバッグの上に拡がらないようにするため、ポケット部６２の幅は、キャディバッグ６１の本体部の幅を超えないことが望ましい。本実施例のキャディバッグ６１の他の構成については、第１実施例と同一であり、同一符号を付与して重複説明を割愛する。
【００５７】
（第５実施例）  本実施例のキャディバッグ７１のポケット部７２の構成を、図８に示す。ポケット部７２は、透明ビニールで構成されている。ポケット部７２の先端側の側辺７３の上端部には、貫通穴７４が設けられている。一方、バッグ本体２の口枠の下部に固定されている環状部７６には、ナスカン７７が連結されて固定されている。ナスカン７７が貫通穴７４に連結されることにより、ポケット部７２の側辺７３側の上端が、バッグ本体２に着脱可能に固定される。
【００５８】
ポケット部７２の上辺から約１／４の高さの位置（中央部と上辺の中間の位置）に、スライドファスナーが縫い合わされて、開口部７８が形成されている。このように本実施例の開口部７８は、他の実施例と比較すると、よりポケット部７２の中央部寄りの位置に形成されている。しかし、本実施例のポケット部７２は、キャディバッグ７１がゴルフカートに搭載された状態で使用されるため、ゴルフカート上で斜めに固定されているバッグ本体２の向きに倣って、その開口部７８は上方を向いた状態となる。この状態で開口部７８を行った場合、ポケット部７２から内容物が落下する恐れがない。
【００５９】
以上、実施例において本発明の具体例を詳細に説明したが、これらは例示にすぎず、特許請求の範囲を限定するものではない。特許請求の範囲に記載の技術には、以上に例示した具体例を様々に変形、変更したものが含まれる。たとえば、実施例においては、ポケット部をバッグ本体に連結する手段として、ナスカン、カラビナ等の連結具を示したが、ポケット部に設けられる固定手段として、スナップボタンの雌スナップを適用することができる。この雌スナップは、バッグ本体の口枠下部に取り付けられている雄スナップと係合することができる。又、ポケット部の先端側の上端部を連結固定するバッグ本体側の環状部を、取っ手に対してポケット収容部と同じ側に設けることも可能である。この場合、ポケット部の容量は若干少なくなる可能性があるが、取っ手がポケット部に覆われないために、ポケット部を収容することなく外に出したまま、取っ手を持ってキャディバッグを短時間移動させることが可能となる。
【００６０】
更に、バッグ側面に設ける収容部の大きさと配置は、ポケット部の大きさとその配置に応じて、開口する角度や大きさを適宜変更することが可能である。例えば、実施例に於いては、バッグ側面の向かって左側にポケット収容部を設けて、そこからポケット部を右側に引き出す構成を開示したが、ポケット収容部をバッグ側面の右側に設けて、ポケット部を左側に引き出す構成を取ることも可能である。ポケット収容部の開口部に、スライドファスナーや面ファスナーの開閉手段を設けることも可能である。
【図面の簡単な説明】
【００６１】
【図１】第１実施例のポケット部２１を収容した状態のキャディバッグ１の正面図である。
【図２】第１実施例のポケット部２１を引き出した状態のキャディバッグ１の正面図である。
【図３】第１実施例のキャディバッグ１のポケット部２１にゴルフボール３１を収容した状態を模式的に示す部分拡大図である。
【図４】第１実施例のキャディバッグ１を他のキャディバッグ３３と共にゴルフカートに搭載した状態を模式的に示す図である。
【図５】第２実施例のポケット部４２を引き出した状態のキャディバッグ４１の部分拡大図である。
【図６】第３実施例のポケット部５２を引き出した状態のキャディバッグ５１の部分拡大図である。
【図７】第４実施例のポケット部６２を引き出した状態のキャディバッグ６１の部分拡大図である。
【図８】第５実施例のポケット部７２を引き出した状態のキャディバッグ７１の部分拡大図である。
【図９】複数のキャディバッグがゴルフカート１０１に積み込まれている状態を模式的に示す図である。
【符号の説明】
【００６２】
１，３３，４１，５１，６１，７１  キャディバッグ
２，５８    バッグ本体
４    取っ手
６，８，１０    収容部
９    スライドファスナー
１２    開口部
１１，５９    ポケット収容部
１２    ポケット収容部の開口部
１４    ポケット収容部の縁部
１６    口枠
１８    環状部
２１，４２，５２，６２，７２    ポケット部
２２    ポケット部の上辺
２３    ポケット部の下辺
２５，６４    ポケット部の側辺
２７    ポケット部の表面部
２８，７８    ポケット部の開口部
２９，７７    ナスカン
３１    ゴルフボール
４６    蓋部
４８    マグネットボタン
５４    マチ
５６    鳩目
５７    カラビナ
６２    鏡
１０１  ゴルフカート
【図１】
0005139776.tif 000002
【図２】
0005139776.tif 000003
【図３】
0005139776.tif 000004
【図４】
0005139776.tif 000005
【図５】
0005139776.tif 000006
【図６】
0005139776.tif 000007
【図７】
0005139776.tif 000008
【図８】
0005139776.tif 000009
【図９】
0005139776.tif 000010